(57)【要約】【課題】光ピックアップ装置において、ＢＤとＤＶＤあるいはＣＤとの互換性を持たせる。【解決手段】第１のレーザ光を用いて情報を記録再生する仕様の第１のディスクと、上記第１のレーザ光と異なる波長帯域を有する第２のレーザ光を用いて情報を記録再生する仕様の第２のディスクとに対して、各々に対応する第１のレーザ光あるいは第２のレーザ光を照射して情報を記録再生する光ピックアップ装置において、上記第１のレーザ光と上記第２のレーザ光との偏光方向は直交しており、上記第１のレーザ光のみに作用して球面収差を補正する第１の液晶素子と上記第２のレーザ光のみに作用してコマ収差を補正する第２の液晶素子とを備え、対物レンズと上記第１の液晶素子と上記第２の液晶素子は可動自在に支持される。【選択図】              図１
2004152446.tif 000002
【特許請求の範囲】
【請求項１】
第１のレーザ光（Ｌ１）を用いて情報を記録再生する仕様の第１のディスクと、前記第１のレーザ光（Ｌ１）と異なる波長帯域を有する第２のレーザ光（Ｌ２）を用いて情報を記録再生する仕様の第２のディスクとに対して、各々に対応する第１のレーザ光（Ｌ１）あるいは第２のレーザ光（Ｌ２）を照射して情報を記録再生する光ピックアップ装置において、
前記第１のレーザ光（Ｌ１）と前記第２のレーザ光（Ｌ２）との偏光方向は直交しており、前記第１のレーザ光（Ｌ１）のみに作用して球面収差を補正する第１の液晶素子（８３）と前記第２のレーザ光（Ｌ２）のみに作用してコマ収差を補正する第２の液晶素子（８２）とを備え、
対物レンズ（６）と前記第１の液晶素子（８３）と前記第２の液晶素子（８２）は可動自在に支持されることを特徴とする光ピックアップ装置。
【請求項２】
第１の透明基板（８１）の一方の面には前記第１の液晶素子（８３）が形成され、前記第１の透明基板（８１）の他方の面には前記第２の液晶素子（８２）が形成された構造となっており、
前記第１の液晶素子（８３）は少なくとも第２の透明基板（８３ａ）と前記第１の透明基板（８１）の間に、球面収差補正のための第１の透明電極（８３ｂ）と第１の配向膜（８３ｃ）と液晶（８３ｄ）と第２の透明電極（８３ｅ）が挟まれて配置されており、
前記第２の液晶素子（８２）は少なくとも第３の透明基板（８２ａ）と前記第１の透明基板（８１）の間に、コマ収差補正のための第３の透明電極（８２ｂ）と第２の配向膜（８２ｃ）と液晶（８２ｄ）と第４の透明電極（８２ｅ）が挟まれて配置されており、
複数の電極から成る前記第１の透明電極（８３ｂ）と前記第３の透明電極（８２ｂ）との各電極が一対づつ導電されており、前記第２の透明電極（８３ｅ）と前記第４の透明電極（８２ｅ）とが導通されていることを特徴とする液晶素子。
【請求項３】
前記対物レンズ（６）と請求項２記載の液晶素子は、複数のサスペンションワイヤ（４１〜４４）によって、可動自在に支持されることを特徴とする請求項１記載の光ピックアップ装置。
【請求項４】
前記対物レンズ（６）と請求項２記載の液晶素子は、複数のサスペンションワイヤ（４１〜４４）によって、可動自在に支持され、各サスペンションワイヤ（４１〜４４）を介して駆動電圧が各透明電極（Ａ〜Ｇ）に給電されることを特徴とする請求項１あるいは３記載の光ピックアップ装置。
【発明の詳細な説明】
【０００１】
【発明の属する技術分野】
本発明は、光ピックアップ装置及び液晶素子に関する。
【０００２】
【従来の技術】
Ｂｌｕ−ｒａｙ  Ｄｉｓｃ（以下ＢＤと略す）用の光ピックアップ装置は、通常、４本あるいは６本のサスペンションワイヤによって支持されたレンズホルダにＢＤ用対物レンズを設置し、該ＢＤ用対物レンズを介して波長４０５ｎｍのレーザ光をＢＤに照射している。また、上記レンズホルダには、ＢＤの基板厚誤差による球面収差を補正するための液晶素子が設置されている。この液晶素子は、通常４つの電極を有しており、上記４本あるいは６本のサスペンションワイヤを介して電圧が印加される。
【０００３】
このようなＢＤ用光ピックアップ装置にＤＶＤ（Ｄｅｓｉｔａｌ  ＶｉｄｅｏＤｉｓｃ）との互換性を持たせる場合には、上記ＢＤ用対物レンズ（開口数：０．８５）を介して６５５ｎｍのレーザ光をＤＶＤに照射することとなるが、上記ＢＤとＤＶＤとでは、対物レンズの開口数が異なっているために、上記レンズホルダの内部に波長選択性の開口制限素子が設置される。この波長選択性の開口制限素子は、上記４０５ｎｍのレーザ光には作用せず、６５５ｎｍのレーザ光にのみ作用して開口数を０．６に設定するものである。また、上記６５５ｎｍのレーザ光における球面収差を少なくするために、６５５ｎｍのレーザ光は、発散光として対物レンズに入射される、いわゆる有限系の構成となっている。
【０００４】
【非特許文献１】
ＭＩＣＲＯ  ＯＰＴＩＣＳ  ＮＥＷＳ  Ｖｏｌ．２０  Ｎｏ．３  ｐｐ．１９−２３
【特許文献１】
特開平１０−３２０８１４号公報
【特許文献２】
特開平１０−３１９３１８号公報
【特許文献３】
特開平１０−０２０２６３号公報
【特許文献４】
特開平０９−１２８７８５号公報
【０００５】
【発明が解決しようとする課題】
ところが、上述したような６５５ｎｍのレーザ光は、有限系であるために上記レンズホルダがＤＶＤの偏芯に追従するためにＤＶＤのラジアル方向にシフトした際にコマ収差が発生し、光学的な分解能が低下するという問題点がある。そのため、新たに６５５ｎｍのレーザ光のコマ収差を補正する液晶素子をレンズホルダに設置する必要がある。しかしながら、通常、このコマ収差を補正する液晶素子は３つ以上の電極を必要とするため、当該液晶素子をレンズホルダに設けた場合、サスペンションワイヤを介して必要数の給電を実現できないという問題点が発生する。なお、以上ＤＶＤについて述べたが、ＣＤ（Ｃｏｍｐａｃｔ  Ｄｉｓｃ）についても同様である。
【０００６】
本発明は、上述する問題点に鑑みてなされたもので、光ピックアップ装置において、ＢＤとＤＶＤあるいはＣＤとの互換性を持たせることを目的とするものである。
【０００７】
【課題を解決するための手段】
上記目的を達成するために、本発明では、光ピックアップ装置に係わる第１の手段として、第１のレーザ光を用いて情報を記録再生する仕様の第１のディスクと、上記第１のレーザ光と異なる波長帯域を有する第２のレーザ光を用いて情報を記録再生する仕様の第２のディスクとに対して、各々に対応する第１のレーザ光あるいは第２のレーザ光を照射して情報を記録再生する光ピックアップ装置において、上記第１のレーザ光と上記第２のレーザ光との偏光方向は直交しており、上記第１のレーザ光のみに作用して球面収差を補正する第１の液晶素子と上記第２のレーザ光のみに作用してコマ収差を補正する第２の液晶素子とを備え、対物レンズと上記第１の液晶素子と上記第２の液晶素子は可動自在に支持されるという構成を採用する。
【０００８】
液晶素子に係わる第１の手段として、第１の透明基板の一方の面には上記第１の液晶素子が形成され、上記第１の透明基板の他方の面には上記第２の液晶素子が形成された構造となっており、上記第１の液晶素子は少なくとも第２の透明基板と上記第１の透明基板の間に、球面収差補正のための第１の透明電極と第１の配向膜と液晶と第２の透明電極が挟まれて配置されており、上記第２の液晶素子は少なくとも第３の透明基板と上記第１の透明基板の間に、コマ収差補正のための第３の透明電極と第２の配向膜と液晶と第４の透明電極が挟まれて配置されており、複数の電極から成る上記第１の透明電極と上記第３の透明電極との各電極が一対づつ導電されており、上記第２の透明電極と上記第４の透明電極とが導通されているという構成を採用する。
【０００９】
光ピックアップ装置に係わる第２の手段として、上記第１の手段において、対物レンズと上記液晶素子に係わる第１の手段における液晶素子は、複数のサスペンションワイヤによって、可動自在に支持されるという構成を採用する。
【００１０】
光ピックアップ装置に係わる第３の手段として、上記第１または第２の手段において、上記対物レンズと請求項２記載の液晶素子は、複数のサスペンションワイヤによって、可動自在に支持され、各サスペンションワイヤを介して駆動電圧が各透明電極に給電されるという構成を採用する。
【００１１】
【発明の実施の形態】
以下、図面を参照して、本発明に係わる光ピックアップ装置の一実施形態について説明する。
【００１２】
（第１実施形態）
図１は、本第１実施形態に係わる光ピックアップ装置の要部構成図である。この図において、符号１はベース部、２はワイヤ支持部、３１，３２はヨークコイル、４１〜４４はサスペンションワイヤ、５はレンズホルダ、６は対物レンズ、７１，７２はマグネット、８は液晶素子、９はレーザ光出射受光部（レーザ光出射手段）、１０は液晶駆動回路である。
【００１３】
ベース部１は、板状に形状設定されると共に、その略中央部には、レーザ光出射受光部９から入射したレーザ光が通過する貫通孔１ａが形成されている。ワイヤ支持部２は、略直方体形に形状設定されており、図示するように、上記ベース部１の左側に固定設置されている。
【００１４】
ヨークコイル３１，３２は、外部の駆動装置から電流が供給されることによって、レンズホルダ５をラジアル方向及びフォーカス方向に移動させるものであり、上記貫通孔１ａを挟むように各々ベース部１上に設置されている。つまり、図示するように、ヨークコイル３１は、貫通孔１ａの左側に設置され、ヨークコイル３２は、貫通孔１ａの右側に設置されている。
【００１５】
サスペンションワイヤ４１〜４４は、４本設けられており、各々の一端がレンズホルダ５に固定され、また、他端が上記ワイヤ支持部２に固定されている。すなわち、図示するように、サスペンションワイヤ４１，４２は、貫通孔１ａの手前側に上記ベース部１と平行に姿勢設定された状態で、上からサスペンションワイヤ４１、サスペンションワイヤ４２の順で上記ワイヤ支持部２に支持され、サスペンションワイヤ４３，４４は、貫通孔１ａの奥側に上記ベース部１と平行に姿勢設定された状態で、上からサスペンションワイヤ４３、サスペンションワイヤ４４の順で上記ワイヤ支持部２に支持されている。また、上記サスペンションワイヤ４１〜４４の他端は、液晶素子８に電圧を印加、すなわち液晶駆動信号を出力する液晶駆動回路１０と各々接続されている。
【００１６】
レンズホルダ５は、中空の略直方体形に形状設定されており、上記サスペンションワイヤ４１〜４４の他端によって、可動自在に、かつ、上記貫通孔１ａの上方に位置するように支持されている。図２は、上記レンズホルダ５の断面図であるが、この図に示すように、レンズホルダ５の上部には、ＢＤ（Ｂｌｕ−ｒａｙＤｉｓｃ）用の対物レンズ６（開口数：０．８５）が填め込まれ、その内部には、波長６５５ｎｍのレーザ光（第２のレーザ光）に作用して開口数を０．６に設定する波長選択性の開口制限素子１１が設置されている。また、レンズホルダ５の下部には、液晶素子８が設置されている。
【００１７】
続いて、図３及び図４を参照して、上記液晶素子８について説明する。液晶素子８は、透明基板８１（第１の透明基板）、コマ収差補正液晶素子８２（第２の液晶素子）及び球面収差補正液晶素子８３（第１の液晶素子）から構成されている。透明基板８１は、ガラスによって形成された透明板であり、４隅に接続端子ａ〜ｄが設けられている。この透明基板８１の下面には、所定の偏光方向のレーザ光に作用して球面収差を補正する球面収差補正液晶素子８３が設置され、上面には、上記所定の偏光方向のレーザ光と直交する偏光方向のレーザ光に作用してコマ収差を補正するコマ収差補正液晶素子８２が設置されるものである。
【００１８】
透明基板８１の下面には、所定の偏光方向のレーザ光に作用して球面収差を補正する球面収差補正液晶素子８３が設置されている。この球面収差補正液晶素子８３は、透明基板８３ａ（第２の透明基板）と透明基板８１の間に、球面収差補正のための透明電極８３ｂ（第１の透明電極）と配向膜８３ｃ（第１の配向膜）と液晶８３ｄと透明電極８３ｅ（第２の透明電極）が挟まれたものである。より具体的には、図４において透明基板８１とその下側の透明基板８３ａの間には液晶８３ｄが封入されており、この液晶分子の方向が球面収差補正液晶素子８３に電圧を印加した際に上記レーザ光の偏光方向に傾くように配向されている。したがって、球面収差補正液晶素子８３に電圧を印加すると、電圧の印加された領域における上記レーザ光が感じる屈折率が変化し、その領域のレーザ光の位相に変化を与えることができる。この位相を制御することによって、球面収差を補正する。
【００１９】
一方、透明基板８１の上面には、上記所定の偏光方向と直交する偏光方向のレーザ光に作用してコマ収差を補正するコマ収差補正液晶素子８２が設置されている。このコマ収差補正液晶素子８２は、透明基板８２ａ（第３の透明基板）と上記透明基板８１の間に、コマ収差補正のための透明電極８２ｂ（第３の透明電極）と配向膜８２ｃ（第２の配向膜）と液晶８２ｄと透明電極８２ｅ（第４の透明電極）とが挟まれたものである。より具体的には図４において透明基板８１とその上側の透明基板８２ａの間には液晶８２ｄが封入されており、この液晶分子の方向が上記球面収差補正液晶素子８３の液晶分子の配列方向と直交する方向に配向されている。したがって、コマ収差補正液晶素子８２に電圧を印加すると、電圧の印加された領域において上記所定の偏光方向と直交する偏光方向のレーザ光に対してのみ、その領域を通過するレーザ光の感じる屈折率が変化し、そのレーザ光の位相に変化を与えることができる。この位相を制御することによってコマ収差を補正する。
【００２０】
なお、上記所定の偏光方向のレーザ光がコマ収差補正液晶素子８２の電圧が印加された領域を通過しても、その領域の液晶分子が傾いた方向は、上記所定の偏光方向と直交しているため、屈折率変化が生じず、上記所定の偏光方向のレーザ光は、コマ収差補正液晶素子８２による位相変化を受けない。同様の作用によって、上記所定の偏光方向のレーザ光と直交する偏光方向のレーザ光が球面収差補正液晶素子８３を通過しても位相変化を受けない。
【００２１】
したがって、上記所定の偏光方向のレーザ光は、球面収差補正液晶素子８３からのみ位相作用を受け、上記所定の偏光方向と直交する偏光方向のレーザ光はコマ収差補正液晶素子８２からのみ位相作用を受ける。
【００２２】
なお、図３及び図４においては、透明基板８１に対して上側にコマ収差補正液晶素子８２、下側に球面収差補正液晶素子８３が設置されているが、下側にコマ収差補正液晶素子８２、上側に球面収差補正液晶素子８３を設置することも可能である。
【００２３】
コマ収差補正液晶素子８２の上面には、図３に図示するように、コマ収差を補正するように、光軸を挟んで左右に透明電極Ａ，Ｂ（透明電極８２ｂ）が設けられている。透明電極Ａは、接続端子ａと透明パターンａ１によって、電気的に接続され、透明電極Ｂは、接続端子ｂと透明パターンｂ１によって、電気的に接続されている。コマ収差補正液晶素子８２の下面には、コマ収差補正液晶素子８２の全体に亘って、透明電極Ｃ（透明電極８２ｅ）が設けられており、該透明電極Ｃは、接続端子ｄと透明パターンｄ１によって、電気的に接続されている。
【００２４】
球面収差補正液晶素子８３の下面には、図３に図示するように、球面収差を補正するように、光軸を中心として同心円状に設けられた透明電極Ｄ，Ｅ，Ｆ（透明電極８３ｂ）が設けられている。透明電極Ｄは、接続端子ａと透明パターンａ２によって、電気的に接続されており、透明電極Ｅは、接続端子ｂと透明パターンｂ２によって、電気的に接続され、透明電極Ｆは、接続端子ｃと透明電極パターンｃ１によって、電気的に接続されている。球面収差補正液晶素子８３の上面には、球面収差補正液晶素子８３の全体に亘って、透明電極Ｇ（透明電極８３ｅ）が設けられており、該透明電極Ｇは、接続端子ｄと透明パターンｄ２によって、電気的に接続されている。
【００２５】
再び、図１の説明に戻ると、図示するように、上記レンズホルダ５の手前側の側面部には、上記サスペンションワイヤ４１，４２と上記接続端子ａ，ｂとを電気的に接続するＦＰＣ（Ｆｌｅｘｉｂｌｅ  Ｐｒｉｎｔｅｄ  Ｃｉｒｃｕｉｔｓ）１２が粘着テープ等で固着されており、レンズホルダ５の奥側の側面部には、上記サスペンションワイヤ４３，４４と上記接続端子ｃ，ｄとを電気的に接続するＦＰＣ（図示せず）が同様に固着されている。これら手前側のＦＰＣ１２及び奥側のＦＰＣと上記サスペンションワイヤ４１〜４４及び接続端子ａ〜ｄとは、半田付けによって、固定されているため、容易にサスペンションワイヤ４１〜４４と接続端子ａ〜ｄとを電気的に接続することができる。
【００２６】
マグネット７１，７２は、レンズホルダ５を挟み込むように該レンズホルダ５の側面部に設置されているものである。すなわち、マグネット７１は、上記ヨークコイル３１と対向する上記側面部に固定されており、マグネット７２は、上記ヨークコイル３２と対向する上記側面部に固定されている。つまり、これらのマグネット７１，７２は、上記ヨークコイル３１，３２に電流が流れることによって力を受け、上記レンズホルダ５を上下方向（フォーカス方向）あるいは／及び貫通孔１ａの手前側と奥側とを結ぶ方向（ラジアル方向）に移動させる。
【００２７】
上記貫通孔１ａの下方には、所定の偏光方向に設定された４０５ｎｍのレーザ光（以下青色レーザ光Ｌ１と言う）と、該青色レーザ光Ｌ１と偏光方向が直交する６５５ｎｍのレーザ光（以下赤色レーザ光Ｌ２と言う）のどちらか一方を対物レンズ６に向け出射するレーザ光出射受光部９が設けられている。このレーザ光出射受光部９について、図５を参照して詳説する。
【００２８】
図５は、上記レーザ光出射受光部９の全体構成図を表した図である。この図において、符号９１はＢＤ用半導体レーザ、９２はＤＶＤ用ホログラム・レーザ・ユニット、９３はビームスプリッタ、９４はコリメータレンズ、９５はダイクロイック・プリズム、９６は立上げミラー、９７はカップリングレンズ、９８は検出レンズ、９９はディテクタである。なお、この図において、図示するように、図の奥行きをＸ軸、横をＹ軸、上下をＺ軸とする。
【００２９】
ＢＤ用半導体レーザ９１は、図示するように、Ｚ軸方向の偏光方向の上記青色レーザ光Ｌ１をＸ軸方向に出射するものである。ビームスプリッタ９３は、上記ＢＤ用半導体レーザ９１から出射された青色レーザ光Ｌ１をコリメータレンズ９４に向け、すなわちＹ軸方向に反射すると共に、Ｙ軸方向から入射する青色レーザ光Ｌ１を透過するものである。コリメータレンズ９４は、ビームスプリッタ９３によって、反射した青色レーザ光Ｌ１を平行光束にして出射してダイクロイック・プリズム９５に入射させるものであり、また、ＢＤで反射し、ダイクロイック・プリズム９５を通過した青色レーザ光Ｌ１をビームスプリッタ９３に向け出射するものである。ダイクロイック・プリズム９５は、Ｙ軸方向から入射した青色レーザ光Ｌ１を透過し、Ｘ軸方向から入射した赤色レーザ光Ｌ２をＹ軸方向に、Ｙ軸方向から入射した赤色レーザ光Ｌ２をＸ軸方向に反射する特性を有する誘電体多層膜からなる反射面を備えるものである。立上げミラー９６は、上記ダイクロイック・プリズム９５が出射したレーザ光、すなわちＹ軸方向のレーザ光をＺ軸方向に反射して、レーザ光出射受光部９の外部、つまり液晶素子８に入射させるものである。
【００３０】
ＤＶＤ用ホログラム・レーザ・ユニット９２は、Ｙ軸方向の偏光方向の上記赤色レーザ光Ｌ２をＸ軸方向に出射すると共に、ＤＶＤで反射した赤色レーザ光Ｌ２を受光し、ディスクの情報再生信号やフォーカシング、トラッキングのためのエラー信号としてレーザ光出射受光部９の外部に出力するものである。カップリングレンズ９７は、ＤＶＤ用ホログラム・レーザ・ユニット９２が出射した赤色レーザ光Ｌ２の発散角を小さくして、上記ダイクロイック・プリズム９５に向け出射するものである。
【００３１】
検出レンズ９８は、上記ビームスプリッタ９３を透過したレーザ光を集光して、ディテクタ９９に向け出射するものである。ディテクタ９９は、検出レンズ９８によって集光された青色レーザ光Ｌ１を受光し、ディスクの情報再生信号やフォーカシング、トラッキングのためのエラー信号としてレーザ光出射受光部９の外部に出力するものである。
【００３２】
次に、このように構成された第１実施形態に係わる光ピックアップ装置の動作について説明する。
【００３３】
まず最初に、ＢＤを対象とした第１実施形態に係わる光ピックアップ装置の動作について説明する。ＢＤ用半導体レーザ９１から出射された偏光方向がＺ軸方向の青色レーザ光Ｌ１は、ビームスプリッタ９３によって、Ｙ軸方向に反射され、コリメータレンズ９４に入射する。そして、青色レーザ光Ｌ１は、コリメータレンズ９４によって、平行光束にされ、ダイクロイック・プリズム９５を透過する。ダイクロイック・プリズム９５を透過した青色レーザ光Ｌ１は、立上げミラー９６によって、Ｚ軸方向に反射されるが、立上げミラー９６によって、Ｚ軸方向に反射されることで、偏光方向もＹ軸方向に変わる。ここで、青色レーザ光Ｌ１は、上記液晶素子８に入射する。すなわち、レーザ光出射受光部９は、偏光方向がＹ軸方向に設定された青色レーザ光Ｌ１を液晶素子８に向け出射する。
【００３４】
この液晶素子８には、サスペンションワイヤ４１〜４４を介して、液晶駆動回路１０から液晶駆動信号を入力される。すなわち、上記接続端子ａを介して、透明電極Ａと透明電極Ｄに同じ強さの電圧が印加され、上記接続端子ｂを介して、透明電極Ｂと透明電極Ｅに同じ大きさの電圧が印加され、上記接続端子ｃを介して、透明電極Ｆに電圧が印加され、上記接続端子ｄを介して、透明電極Ｃと透明電極Ｇに同じ大きさの電圧が印加される。ここで、上述したように、球面収差補正液晶素子８３は電圧が印加されることによって、所定の偏光方向のレーザ光、つまり、青色レーザ光Ｌ１に作用するようにする。すなわち、この所定の偏光方向とは、上記青色レーザ光Ｌ１の偏光方向であるＹ軸方向である。これに対し、コマ収差補正液晶素子８２は、Ｘ軸方向を偏光方向とするレーザ光、つまり赤色レーザ光Ｌ２に作用する。
【００３５】
レーザ光出射受光部９から出射され、上記液晶素子８に入射した青色レーザ光Ｌ１は、偏光方向がＹ軸方向に設定されているため、球面収差補正液晶素子８３によって、ＢＤに照射した際にディスク基板厚誤差によって生じる球面収差が補正される。そして、青色レーザ光Ｌ１は、透明基板８１及びコマ収差補正液晶素子８２を透過して、レンズホルダ５内部に入射する。この場合、コマ収差補正液晶素子８２は、青色レーザ光Ｌ１には作用しない。
【００３６】
そして、青色レーザ光Ｌ１は、開口数が０．８５に設定された対物レンズ６に入射する。なお、青色レーザ光Ｌ１は、レンズホルダ５の内部において、開口制限素子１１を透過するが、開口制限素子１１は、６５５ｎｍの光にしか作用しないので、青色レーザ光Ｌ１は、何の影響も受けずに上記開口制限素子１１を透過する。
【００３７】
続いて、青色レーザ光Ｌ１は、対物レンズ６によって集光されてＢＤに照射される。ＢＤに反射した青色レーザ光Ｌ１は、上述した経路と同一経路を辿って上記ビームスプリッタ９３まで戻ってくる。ここで、上記ビームスプリッタ９３は、Ｙ軸方向から入射するレーザ光を透過する性質を有しているので、青色レーザ光Ｌ１は、ビームスプリッタ９３を透過して、検出レンズ９８に入射する。青色レーザ光Ｌ１は、検出レンズ９８によって集光され、ディテクタ９９によって、ディスクの情報再生信号やフォーカシング、トラッキングのためのエラー信号に変換され、レーザ光出射受光部９の外部に出力される。
【００３８】
次に、ＤＶＤを対象とした第１実施形態に係わる光ピックアップ装置の動作について説明する。ＤＶＤ用ホログラム・レーザ・ユニット９２から出射された偏光方向がＹ軸方向に設定された赤色レーザ光Ｌ２は、カップリングレンズ９７によって発散角を小さくされて、ダイクロイック・プリズム９５に入射する。ここで、赤色レーザ光Ｌ２を平行光束にしないのは、ＢＤ用に設計された対物レンズ６による球面収差を抑制するためである。ダイクロイック・プリズム９５に入射した赤色レーザ光Ｌ２は、Ｙ軸方向に反射されるがダイクロイック・プリズム９５によってＹ軸方向に反射されることで偏光方向もＸ軸方向に変わる。続いて、赤色レーザ光Ｌ２は、Ｚ軸方向に反射され、上記液晶素子８に入射する。
【００３９】
液晶素子８に入射した赤色レーザ光Ｌ２は、偏光方向がＸ軸方向に設定されているため、球面収差補正液晶素子８３及び透明基板８１を透過して、コマ収差補正液晶素子８２によって、ＤＶＤに照射した際に対物レンズシフトによって生じたコマ収差が補正される。
【００４０】
そして、赤色レーザ光Ｌ２は、レンズホルダ内部に入射し、開口制限素子１１及び対物レンズ６によって、開口数が０．６に設定される。続いて、赤色レーザ光Ｌ２は、対物レンズ６によって集光されてＤＶＤに照射される。
【００４１】
ＤＶＤで反射した赤色レーザ光Ｌ２は、上述した経路と同一の経路を辿ってＤＶＤ用ホログラム・レーザ・ユニット９２上記まで戻ってくる。ここで、赤色レーザは、ＤＶＤ用ホログラム・レーザ・ユニット９２によって、ディスクの情報再生信号やフォーカシング、トラッキングのためのエラー信号に変換され、レーザ光出射受光部９の外部に出力される。
【００４２】
すなわち、本第１実施形態によれば、コマ収差補正液晶素子８２は、上記赤色レーザＬ２のみに作用し、球面収差補正液晶素子８３は、上記青色レーザ光Ｌ１のみに作用するので、上記透明電極Ａ及び透明電極Ｄに１本のサスペンションワイヤ４１を介して電圧が印加され、上記透明電極Ｂ及び透明電極Ｅに１本のサスペンションワイヤ４２を介して電圧が印加され、上記透明電極Ｆにサスペンションワイヤ４３を介して電圧が印加され、上記透明電極Ｃ及び透明電極Ｇに１本のサスペンションワイヤ４４を介して電圧が印加される。つまり、レンズホルダ５を支持する４本のサスペンションワイヤ４１〜４４によって、コマ収差補正液晶素子８２及び球面収差補正液晶素子８３に給電することができるので、本第１実施形態に係わる光ピックアップ装置にＢＤとＤＶＤあるいはＣＤとの互換性を持たせることが可能となる。
【００４３】
（第２実施形態）
図６は、本第２実施形態に係わるレーザ光出射受光部９の全体構成を表した図である。本第２実施形態においては、図示するように、ＢＤ用半導体レーザ９１及びＤＶＤ用ホログラム・レーザ・ユニット９２から出射される青色レーザ光Ｌ１及び赤色レーザ光Ｌ２は、共に偏光方向がＹ軸方向に設定されている。このような第２実施形態における光ピックアップ装置を実現するために、レーザ光出射受光部９は、１／２波長板９１０を備えている。
【００４４】
上記１／２波長板９１０は、青色レーザ光Ｌ１の偏光方向のみを９０度回転させるものであり、上記ＢＤ用半導体レーザ９１とビームスプリッタ９３との間に設置される。他の構成及び動作は上記第１実施形態と同様であるが、ＢＤ用半導体レーザ９１から出射される青色レーザ光Ｌ１の偏光方向がＹ軸方向に設定されているので、青色レーザ光Ｌ１のファーフィールド・パターンの楕円長軸方向をＺ軸方向にし、ディスク上のスポットの短軸方向をＹ軸方向、すなわちタンジェンシャル方向に設定することができる。
【００４５】
すなわち、本第２実施形態によれば、上記第１の実施形態の効果に加え、ディスク上のスポットの短軸方向をタンジェンシャル方向に設定することができるので、ＢＤのトラック情報を精度高く再生できる。
【００４６】
（第３実施形態）
図７は、本第３実施形態に係わるレーザ光出射受光部９の全体構成を表した図である。本第３実施形態においては、図示するように、ＢＤ用半導体レーザ９１及びＤＶＤ用ホログラム・レーザ・ユニット９２から出射される青色レーザ光Ｌ１及び赤色レーザ光Ｌ２は、共に偏光方向がＹ軸方向に設定されている。このような第３実施形態における光ピックアップ装置を実現するために、レーザ光出射受光部９は、１／２波長板９１１を備えている。
【００４７】
上記１／２波長板９１１は、赤レーザ光の偏光方向のみを９０度回転させるものであり、上記カップリングレンズ９７とダイクロイック・プリズム９５との間に設置される。この場合も、ＢＤ用半導体レーザ９１から出射される青色レーザ光Ｌ１の偏光方向がＹ軸方向に設定されているので、ディスク上のスポットの短軸方向をタンジェンシャル方向に設定することができる。
【００４８】
しかしながら、このような構成を採用した場合には、図示するように、液晶素子８に入射する際の青色レーザ及び赤色レーザの偏光方向が９０度回転するので、コマ収差補正液晶素子８２及び球面収差補正液晶素子８３の内部の液晶の配列を９０度ずらす必要がある。
【００４９】
すなわち、本第３実施形態によれば、上記第１の実施形態の効果に加え、ディスク上のスポットの短軸方向をタンジェンシャル方向に設定することができるので、ＢＤのトラック情報を精度高く再生できる。
【００５０】
なお、本発明は上記第１〜第３実施形態に限定されるものではなく、以下のような変形例も考えられる。
（１）上記第１〜第３実施形態において、４本のサスペンションワイヤ４１〜４４を用いた。しかしながら、６本のサスペンションワイヤを用いても良い。この場合であっても、いずれかの電極パターンＡ〜Ｇは、同一のサスペンションワイヤから液晶駆動信号が入力される。
【００５１】
（２）上記第１〜第３実施形態において、本光ピックアップ装置にＢＤとＤＶＤとの互換性を持たせた。しかしながら、ＢＤとＣＤとの互換性を持たせても良い。
【００５２】
（３）上記第１〜第３実施形態において、サスペンションワイヤ４１，４２と接続端子ａ，ｂとをＦＰＣ１２で電気的に接続し、サスペンションワイヤ４３，４４とをＦＰＣ（図示せず）で電気的に接続した。しかしながら、電気的に接続されていれば良く、例えばワイヤによって、電気的に接続しても良い。
【００５３】
【発明の効果】
以上説明したように、本発明によれば、第１のレーザ光を用いて情報を記録再生する仕様の第１のディスクと、上記第１のレーザ光と異なる波長帯域を有する第２のレーザ光を用いて情報を記録再生する仕様の第２のディスクとに対して、各々に対応する第１のレーザ光あるいは第２のレーザ光を照射して情報を記録再生する光ピックアップ装置において、上記第１のレーザ光と上記第２のレーザ光との偏光方向は直交しており、上記第１のレーザ光のみに作用して球面収差を補正する第１の液晶素子と上記第２のレーザ光のみに作用してコマ収差を補正する第２の液晶素子とを備え、対物レンズと上記第１の液晶素子と上記第２の液晶素子は可動自在に支持される。すなわち、光ピックアップ装置において、ＢＤとＤＶＤあるいはＣＤとの互換性を持たせることができる。
【図面の簡単な説明】
【図１】本発明の第１実施形態に係わる光ピックアップ装置の要部構成図である。
【図２】本発明の第１実施形態に係わるレンズホルダ５の断面図である。
【図３】本発明の第１実施形態に係わる液晶素子８の全体構成図である。
【図４】本発明の第１実施形態に係わる液晶素子８の詳細構成図である。
【図５】本発明の第１実施形態に係わるレーザ光出射受光部９の全体構成を表した図である。
【図６】本発明の第２実施形態に係わるレーザ光出射受光部９の全体構成を表した図である。
【図７】本発明の第３実施形態に係わるレーザ光出射受光部９の全体構成を表した図である。
【符号の説明】
１……ベース部
２……ワイヤ支持部
３１，３２……ヨークコイル
４１〜４４……サスペンションワイヤ
５……レンズホルダ
６……対物レンズ
７１，７２……マグネット
８……液晶素子
９……レーザ光出射受光部（レーザ光出射手段）
１０……液晶駆動回路
１１……開口制限素子
１２……ＦＰＣ
Ｌ１……青色レーザ（第１のレーザ光）
Ｌ２……赤色レーザ（第２のレーザ光）
【図１】
2004152446.tif 000003
【図２】
2004152446.tif 000004
【図３】
2004152446.tif 000005
【図４】
2004152446.tif 000006
【図５】
2004152446.tif 000007
【図６】
2004152446.tif 000008
【図７】
2004152446.tif 000009